(57)【要約】【課題】電線をループ状に巻き付けて使用するノイズフィルタにおいて、電線の様々な使用形態に対応する場合のコストを低減する。【解決手段】ノイズフィルタＡは、電線４１，４２を挿通させる挿通孔２２を有するフェライトコア２０と、フェライトコア２０を、その外周を包囲するように収容するフィルタケース１０と、フィルタケース１０とは別体部品の位置決め部材３０と、位置決め部材３０を構成し、フィルタケース１０の外周を包囲するように配される本体部３１と、本体部３１の内面１３Ｓ（内周面）に形成され、挿通孔２２を複数回貫通するようにループ状に巻き付けられた電線４１，４２を、フィルタケース１０の外周において周方向に位置決めする複数の突起状のスペーサ３２とを備える。【選択図】図１
2016201387.tif 000002
【特許請求の範囲】
【請求項１】
電線を挿通させる挿通孔を有するフェライトコアと、
前記フェライトコアを、その外周を包囲するように収容するフィルタケースと、
前記フィルタケースとは別体部品の位置決め部材と、
前記位置決め部材を構成し、前記フィルタケースの外周を包囲するように配される本体部と、
前記本体部の内周面に形成され、前記挿通孔を複数回貫通するようにループ状に巻き付けられた前記電線を、前記フィルタケースの外周において周方向に位置決めする複数の突起状のスペーサとを備えていることを特徴とするノイズフィルタ。
【請求項２】
前記複数のスペーサのうち少なくともいずれか１つの前記スペーサが、前記本体部の内周面から突出しない形態へ変位可能となっていることを特徴とする請求項１記載のノイズフィルタ。
【請求項３】
前記本体部には、前記フィルタケースの周方向に沿って伸縮するように弾性変形可能な複数の弾性撓み部が、周方向に間隔を空けて形成されており、
前記複数のスペーサが、前記弾性撓み部の間に配されていることを特徴とする請求項１記載のノイズフィルタ。
【請求項４】
前記本体部の長さ方向における一方の端部には、筒部が形成され、
前記本体部には、前記位置決め部材が前記フィルタケースを包囲した状態で前記筒部に挿通可能な調整用挿通部が形成され、
前記筒部と前記調整用挿通部には、前記筒部に前記調整用挿通部を挿通した状態において、前記位置決め部材が縮径変形することは許容するが、前記位置決め部材が拡径変形することを規制する係止部が形成されていることを特徴とする請求項１ないし請求項３のいずれか１項に記載のノイズフィルタ。
【請求項５】
前記本体部の外周には、他部材に取付け可能な取付部が設けられていることを特徴とする請求項１ないし請求項４のいずれか１項に記載のノイズフィルタ。
【請求項６】
電線を挿通させる挿通孔を有するフェライトコア、及び前記フェライトコアを収容するフィルタケースとともにノイズフィルタを構成し、前記フィルタケースとは別体部品として成形された位置決め部材であって、
前記フィルタケースの外周を包囲するように配される本体部と、
前記本体部の内周面に形成され、前記挿通孔を複数回貫通するようにループ状に巻き付けられた前記電線を、前記フィルタケースの外周において周方向に位置決めする複数の突起状のスペーサとを備えていることを特徴とするノイズフィルタ用位置決め部材。
【発明の詳細な説明】
【技術分野】
【０００１】
本発明は、ノイズフィルタ及びノイズフィルタ用位置決め部材に関するものである。
【背景技術】
【０００２】
特許文献１には、挿通孔を有するフェライトコア（磁性体）と、フェライトコアを収容するフィルタケース（保持ケース）とを備えたノイズフィルタ（雑音電流吸収具）が開示されている。このノイズフィルタは、挿通孔に通した電線を、フィルタケースの外周側へ折り返して挿通孔に貫通させるように巻き付けて使用する。このように電線をループ状に巻き付けると、フェライトコアで形成された閉磁路内を電線が複数回通過するので、高いノイズ吸収効果が得られる。
【０００３】
ところが、フィルタケースの外周で複数本の電線が接近したり接触したりすると、ノイズ吸収特性の不均一や、ノイズ吸収効果の低減等の不具合の原因となる。そこで、特許文献１のノイズフィルタでは、フィルタケースの外周に、周方向に間隔を空けて複数の突起を形成し、電線導同士の間に突起を介在させることによって、電線同士の接近や接触を防止している。
【先行技術文献】
【特許文献】
【０００４】
【特許文献１】特許第２９７７８０１号公報
【発明の概要】
【発明が解決しようとする課題】
【０００５】
特許文献１のものでは、突起がフィルタケースの外周に一体に形成されているので、電線の巻き付け回数や電線の太さを変更する場合には、夫々の条件に応じた複数種類のフィルタケースを製造する必要がある。しかし、フィルタケースは、フェライトコアを位置決めする機能や、フィルタケースを閉じた状態にロックする機能等、様々な機能が求められるので、形状が複雑となり、フィルタケースを製造するための金型は高価となる。そのため、複数種類のフィルタケースを製造することは、製造コストが高くなることを意味する。
【０００６】
本発明は上記のような事情に基づいて完成されたものであって、電線をループ状に巻き付けて使用するノイズフィルタにおいて、電線の様々な使用形態に対応する場合のコストを低減する。
【課題を解決するための手段】
【０００７】
第１の発明のノイズフィルタは、
電線を挿通させる挿通孔を有するフェライトコアと、
前記フェライトコアを、その外周を包囲するように収容するフィルタケースと、
前記フィルタケースとは別体部品の位置決め部材と、
前記位置決め部材を構成し、前記フィルタケースの外周を包囲するように配される本体部と、
前記本体部の内周面に形成され、前記挿通孔を複数回貫通するようにループ状に巻き付けられた前記電線を、前記フィルタケースの外周において周方向に位置決めする複数の突起状のスペーサとを備えているところに特徴を有する。
【０００８】
第２の発明のノイズフィルタ用位置決め部材は、
電線を挿通させる挿通孔を有するフェライトコア、及び前記フェライトコアを収容するフィルタケースとともにノイズフィルタを構成し、前記フィルタケースとは別体部品として成形された位置決め部材であって、
前記フィルタケースの外周を包囲するように配される本体部と、
前記本体部の内周面に形成され、前記挿通孔を複数回貫通するようにループ状に巻き付けられた前記電線を、前記フィルタケースの外周において周方向に位置決めする複数の突起状のスペーサとを備えているところに特徴を有する。
【発明の効果】
【０００９】
挿通孔を複数回貫通するようにループ状に巻き付けられた電線は、位置決め部材のスペーサにより、フィルタケースの外周において周方向に位置決めすることができる。これにより、フィルタケースの外周上において電線同士が接触したり、接近したりすることを防止できる。また、位置決め部材に最低限必要とされるのは、電線を位置決めするためのスペーサだけであるから、位置決め部材は、フィルタケースに比べて形状が簡素であり、金型コストもフィルタケースに比べて安価である。したがって、電線の様々な使用形態に対応する場合には、フィルタケースに比べて金型の安い位置決め部材を複数種類用意すれば、製造コストを低減することができる。
【図面の簡単な説明】
【００１０】
【図１】実施例１のノイズフィルタに電線を巻き付けた状態をあらわす一部切欠正面図
【図２】図１の部分拡大図
【図３】実施例２のノイズフィルタに電線を巻き付けた状態をあらわす一部切欠正面図
【発明を実施するための形態】
【００１１】
（ａ）第１及び第２の発明は、前記複数のスペーサのうち少なくともいずれか１つの前記スペーサが、前記本体部の内周面から突出しない形態へ変位可能となっていてもよい。
この構成によれば、太さの異なる複数種類の電線をループ状に巻き付けて使用する場合には、太い電線と干渉するスペーサを、本体部から突出しない形態へ変位させればよい。したがって、１種類の位置決め部材によって、太さの異なる複数種類の電線を位置決めすることができる。
【００１２】
（ｂ）第１及び第２の発明は、前記本体部には、前記フィルタケースの周方向に沿って伸縮するように弾性変形可能な複数の弾性撓み部が、周方向に間隔を空けて形成されており、前記複数のスペーサが、前記弾性撓み部の間に配されていてもよい。
この構成によれば、弾性撓み部を周方向に伸縮変形させることにより、太さの異なる複数種類の電線に対応させることができる。
【００１３】
（ｃ）第１及び第２の発明は、前記本体部の長さ方向における一方の端部には、筒部が形成され、前記本体部には、前記位置決め部材が前記フィルタケースを包囲した状態で前記筒部に挿通可能な調整用挿通部が形成され、前記筒部と前記調整用挿通部には、前記筒部に前記調整用挿通部を挿通した状態において、前記位置決め部材が縮径変形することは許容するが、前記位置決め部材が拡径変形することを規制する係止部が形成されていてもよい。
この構成によれば、本体部をフィルタケースの外周に巻き付け、筒部に挿通した調整用挿通部を操作して位置決め部材を縮径変形させれば、位置決め部材は、フィルタケースの外周との間で電線を挟み付けた状態に固定される。
【００１４】
（ｄ）第１及び第２の発明は、前記本体部の外周には、他部材に取付け可能な取付部が設けられていてもよい。
この構成によれば、他部材への取り付け手段が本体部に設けられているので、フィルタケースには他部材への取り付け手段を形成する必要がない。したがって、フィルタケースの形状が複雑になることを回避できる。
【００１５】
＜実施例１＞
以下、本発明を具体化した実施例１を図１〜図２を参照して説明する。本実施例１のノイズフィルタＡは、ワイヤーハーネスＷに対し包囲するように取り付けられ、ワイヤーハーネスＷを構成する２本の電線４１，４２の電磁ノイズを低減又は除去するものである。
【００１６】
ワイヤーハーネスＷは、１本の大径電線４１（請求項記載の電線）と、１本の小径電線４２（請求項記載の電線）とから構成されている。各電線４１，４２は、いずれも導体を絶縁被覆で包囲した周知の被覆電線である。各電線４１，４２の軸線と直角に切断した断面形状は、いずれも、円形である。大径電線４１の外径は小径電線４２の外径よりも大きい。したがって、ワイヤーハーネスＷは、外径寸法の異なる２種類の電線４１，４２によって構成されている。
【００１７】
ノイズフィルタＡは、フィルタケース１０と、フェライトコア２０と、位置決め部材３０とを備えて構成され、全体として円環形をなしている。尚、以下の説明における方向に関しては、便宜上、ノイズフィルタＡの軸線が前後方向を向けているものとする。
【００１８】
フィルタケース１０は、半円弧形をなす一対のケース構成体１１をヒンジ１２で連結した単一部品である。ノイズフィルタＡは、ヒンジ１２を変形させて一対のケース構成体１１を合体させることにより、円筒形に構成されている。各ケース構成体１１は、ノイズフィルタＡの軸線と同心状の半円弧形をなす周壁部１３と、周壁部１３の軸線方向における両端縁から径方向上側へ円弧状に張り出した形態の前後一対のストッパ１４とを有する。両ケース構成体１１を合体すると、２つの周壁部１３が略円形の円筒を構成する。
【００１９】
フェライトコア２０は、半円弧形をなす一対のコア構成体２１を円筒をなすように合体させて構成されている。各コア構成体２１は、夫々、ケース構成体１１内に収容されている。ケース構成体１１を合体させると、一対のコア構成体２１も合体し、フィルタケース１０内では、貫通形態の円筒形をなすフェライトコア２０がフィルタケース１０と同軸状に構成される。フェライトコア２０の中心孔は、上記２本の電線４１，４２を挿通させるための挿通孔２２となっている。挿通孔２２の軸線と直角に切断した断面形状は、円形である。
【００２０】
フェライトコア２０の外径はフィルタケース１０の内径と同じ寸法なので、フェライトコア２０がフィルタケース１０内で径方向にガタ付き（相対変位）を生じることはない。そして、フェライトコア２０は、コア構成体２１同士が密着した状態に保持される。また、フェライトコア２０（挿通孔２２）の内径は、ストッパ１４の内径とほぼ同じ寸法である。フェライトコア２０の軸線方向の寸法は一対のストッパ１４の間隔と同じ寸法であるから、フィルタケース１０の内部では、フェライトコア２０が、軸線方向にガタ付き（相対変位）を生じない状態に保持される。
【００２１】
位置決め部材３０は、フィルタケース１０とは別体の合成樹脂製の単一部品である。位置決め部材３０は、細長い帯板状をなす本体部３１と、本体部３１に形成した複数のスペーサ３２と、本体部３１に形成した筒部３３と、本体部３１に形成した調整用挿通部３６と、取付部３８とを備えて構成されている。本体部３１の全長は、フィルタケース１０の外周長よりも長い寸法に設定されている。本体部３１は、湾曲するように弾性変形させることが可能である。そして、本体部３１は、フィルタケース１０に対し、その外周を包囲するように、つまりフィルタケース１０の外周に沿うように取り付けられる。尚、本体部３１をフィルタケース１０に取り付けた状態において、本体部３１のうちフィルタケース１０の外周面と対向する面を、「内面３１Ｓ（請求項に記載の内周面）」と定義する。
【００２２】
スペーサ３２は、本体部３１の内面３１Ｓから径方向内向きに突出した形態である。ノイズフィルタＡの軸線方向に見たときのスペーサ３２の形状は、略台形である。複数のスペーサ３２は、本体部３１の長さ方向において一定のピッチで配置されている。このスペーサ３２の間隔は、小径電線４２の外径とほぼ同じ寸法に設定されている。また、本体部３１の内面３１Ｓからのスペーサ３２の突出寸法は、小径電線４２の外径よりも小さい寸法に設定されている。
【００２３】
筒部３３は、本体部３１の一方の端部に形成されている。筒部３３は、本体部３１の幅方向両側縁から本体部３１の外面（内面３１Ｓとは反対側の面）を覆うように略Ｕ字形のゲート部３４を延出させた形態である。ゲート部３４のうち本体部３１の外面と対向する面には、複数の受け部３５（請求項に記載の係止部）が形成されている。複数の受け部３５は、本体部３１の長さ方向に一定ピッチを空けて連なり、鋸歯状をなしている。また、調整用挿通部３６は、本体部３１における他方（筒部３３とは反対側）の端部側の領域に形成されている。調整用挿通部３６は、筒部３３に対し十分長い寸法を有している。調整用挿通部３６には、上記のスペーサ３２は形成されていない。調整用挿通部３６の外面には、受け部３５と同じく鋸歯状をなす複数の係止突起３７（請求項に記載の係止部）が、本体部３１の長さ方向において受け部３５と同じピッチで連なるように形成されている。
【００２４】
本体部３１をフィルタケース１０に巻き付けて調整用挿通部３６を筒部３３に挿通させると、係止突起３７と受け部３５が干渉する。しかし、受け部３５と係止突起３７は鋸歯状をなしているので、本体部３１が縮径する方向に関しては、調整用挿通部３６を筒部３３に対して相対的に移動させることができる。しかし、一旦、調整用挿通部３６を筒部３３に挿通すると、朝礼用用挿通部を筒部３３から抜き取ることはできない。
【００２５】
取付部３８は、筒部３３に一体に形成され、ゲート部３４の外面から径方向外方へ突出した形態となっている。取付部３８は、傘状部３９と、傘状部３９から径方向外方へ突出した弾性係止部４０とから構成されている。弾性係止部４０は、弾性的に縮径変形し得るようになっている。取付部３８は、例えば、自動車のボディ４３（請求項に記載の他部材）に形成した取付孔４４に取り付けられるようになっている。
【００２６】
取付部３８を取付孔４４に取り付ける際には、弾性係止部４０を縮径変形させながら取付孔４４に押し込めばよい。弾性係止部４０が取付孔４４を通過すると、傘状部３９がボディ４３の表面に当接するとともに弾性係止部４０がボディ４３の裏面における取付孔４４の孔縁に係止するので、取付部３８がボディ４３に取り付けられた状態に保持される。この取付部３８により、ノイズフィルタＡをボディ４３に取り付けることができる。
【００２７】
次に、本実施例１の作用を説明する。ワイヤーハーネスＷにノイズフィルタＡを取り付ける際には、ケース構成体１１とコア構成体２１を合体させる前の状態で、大径電線４１を一方のケース構成体１１及びコア構成体２１に巻き付ける。このとき、大径電線４１を、コア構成体２１（フェライトコア２０）の内周面に沿わせ、一方のストッパ１４の外面に沿わせ、ケース構成体１１（フィルタケース１０）の外周面に沿わせ、他方のストッパ１４の外面に沿わせ、再び、コア構成体２１の内周面に沿わせる。これにより、大径電線４１がループ状に巻き付けられる。大径電線４１のうちフィルタケース１０の外周面に沿って概ね軸線方向に配される略直線状の領域を、電線露出領域４１Ｅと定義する。尚、本実施例１では、１本の大径電線４１を２回ループ状に巻き付けているが、巻き付ける回数（ループの数）は１回だけでもよく、３回以上でもよい。
【００２８】
また、小径電線４２は、他方のケース構成体１１及びコア構成体２１に巻き付ける。このとき、小径電線４２は、大径電線４１と同様、コア構成体２１（フェライトコア２０）の内周面に沿わせ、一方のストッパ１４の外面に沿わせ、ケース構成体１１（フィルタケース１０）の外周面に沿わせ、他方のストッパ１４の外面に沿わせ、再び、コア構成体２１の内周面に沿わせる。これにより、小径電線４２がループ状に巻き付けられる。小径電線４１のうちフィルタケース１０の外周面に沿って概ね軸線方向に配される略直線状の領域を、電線露出領域４２Ｅと定義する。尚、本実施例１では、１本の小径電線４２を３回ループ状に巻き付けているが、巻き付ける回数（ループの数）は２回以下でもよく、４回以上でもよい。
【００２９】
上記のようにして大径電線４１と小径電線４２の巻き付けが終わったら、ケース構成体１１とコア構成体２１を合体させ、フィルタケース１０を形成するとともに、フィルタケース１０内に、合体して円筒形をなすフェライトコア２０を収容する。ケース構成体１１とコア構成体２１を合体させると、ループ状に巻き付けた１本の大径電線４１が、挿通孔２２に３回挿通されるとともに、ループ状に巻き付けた１本の小径電線４２が、挿通孔２２に４回挿通された状態となる。
【００３０】
この後、位置決め部材３０をフィルタケース１０の外周に巻き付けるのであるが、フィルタケース１０の外周には、位置決め部材３０（本体部３１）の長さ方向に隣り合うスペーサ３２の間隔よりも外径の大きい大径電線４１の露出領域４１Ｅが配置されている。そこで、複数のスペーサ３２のうち露出領域４１Ｅ（大径電線４１）と干渉するスペーサ３２を、本体部３１から除去する。スペーサ３２を除去する際には、ニッパーやペンチ等の工具（図示省略）でスペーサ３２を摘み、スペーを根元で折って本体部３１から分離させればよい。本体部３１の内面３１Ｓのうちスペーサ３２が除去された領域は、非干渉領域３１Ｈとなる。この非干渉領域３１Ｈを挟んで隣り合う２つのスペーサ３２の間隔は、大径電線４１の外径よりも大きい寸法となる。
【００３１】
この後、本体部３１を、フィルタケース１０の外周面及び両電線４１，４２の露出領域４１Ｅ，４２Ｅを包囲するように巻き付け、調整用挿通部３６を筒部３３に貫通させる。そして、本体部３１を縮径させながら、本体部３１の内面３１Ｓのうち非干渉領域３１Ｈを大径電線４１の露出領域４１Ｅに当接又は対応させるとともに、隣り合うスペーサ３２の間に小径電線４２の露出領域４２Ｅを嵌入させる。そして、調整用挿通部３６を引っ張って本体部３１を最大限に縮径させれば、位置決め部材３０が、結束バンドのようにフィルタケース１０に巻き付いた状態に保持される。
【００３２】
このようにして位置決め部材３０をフィルタケース１０に固定した状態では、いずれかのスペーサ３２がフィルタケース１０の外周面に当接し、両電線４１，４２の露出領域４１Ｅ，４２Ｅが、本体部３１とフィルタケース１０の外周面との間で径方向に挟み付けられる。つまり、スペーサ３２が露出領域４１Ｅ，４２Ｅと干渉する状態（スペーサ３２がフィルタケース１０の外周面との間に露出領域４１Ｅ，４２Ｅを挟み込む状態）にはなっていない。そして、周方向に隣り合う大径電線４１の露出領域４１Ｅ同士の間、及び小径電線４２の露出領域４２Ｅ同士の間には、少なくとも１つのスペーサ３２が介在することなる。また、大径電線４１の露出領域４１Ｅと小径電線４２の露出領域４２Ｅとの間には、スペーサ３２又は筒部３３が介在する。これにより、電線４１，４２の露出領域４１Ｅ，４２Ｅ同士が周方向に接触したり、接近したりすることが防止されている。
【００３３】
本実施例１のノイズフィルタＡは、電線４１，４２をループ状に巻き付けて使用するものであって、電線４１，４２の様々な使用形態に対応する場合のコスト低減を実現することができる。即ち、ノイズフィルタＡは、電線４１，４２を挿通させる挿通孔２２を有するフェライトコア２０と、フェライトコア２０を、その外周を包囲するように収容するフィルタケース１０と、フィルタケース１０とは別体部品の位置決め部材３０とを備えて構成されている。位置決め部材３０は、フィルタケース１０の外周を包囲するように配される本体部３１と、本体部３１の内周面に形成された複数のスペーサ３２とを備えている。複数のスペーサ３２は、挿通孔２２を複数回貫通するようにループ状に巻き付けられた電線４１，４２の露出領域４１Ｅ，４２Ｅを、フィルタケース１０の外周において周方向に位置決めする。
【００３４】
上記構成によれば、挿通孔２２を複数回貫通するようにループ状に巻き付けられた電線４１，４２の露出領域４１Ｅ，４２Ｅは、位置決め部材３０のスペーサ３２により、フィルタケース１０の外周において周方向に位置決めされる。これにより、フィルタケース１０の外周上において電線４１，４２の露出領域４１Ｅ，４２Ｅ同士が接触したり、接近したりすることを防止できる。
【００３５】
また、位置決め部材３０に最低限必要とされるのは、電線４１，４２の露出領域４１Ｅ，４２Ｅを位置決めするためのスペーサ３２だけであるから、位置決め部材３０は、フィルタケース１０に比べて形状が簡素である。つまり、位置決め部材３０を成形するための金型のコストは、フィルタケース１０を成形するための金型に比べて安価である。したがって、電線４１，４２の様々な使用形態に対応する場合には、フィルタケース１０に比べて金型の安い位置決め部材３０を複数種類用意することにより、製造コストを低減することが可能である。
【００３６】
また、複数のスペーサ３２のうち少なくともいずれか１つのスペーサ３２（本実施例１では、全てのスペーサ３２）が、本体部３１の内周面から突出しない形態へ変位可能となっている。この構成によれば、太さの異なる複数種類の電線４１，４２をループ状に巻き付けて使用する場合には、太い大径電線４１の露出領域４１Ｅと干渉するスペーサ３２を、本体部３１から突出しない形態へ変位させればよい。したがって、１種類の位置決め部材３０によって、太さの異なる２種類（複数種類）の電線４１，４２の露出領域４１Ｅ，４２Ｅを位置決めすることができる。
【００３７】
また、本体部３１の長さ方向における一方の端部には、筒部３３が形成され、本体部３１には、位置決め部材３０がフィルタケース１０を包囲した状態で筒部３３に挿通可能な調整用挿通部３６が形成されている。そして、筒部３３と調整用挿通部３６には、筒部３３に調整用挿通部３６を挿通した状態において、位置決め部材３０が縮径変形することは許容するが、位置決め部材３０が拡径変形することを規制する係止手段として、夫々、受け部３５（請求項に記載の係止部）と係止突起３７が形成されている。
【００３８】
この構成によれば、本体部３１をフィルタケース１０の外周に巻き付け、筒部３３に挿通した調整用挿通部３６を操作して位置決め部材３０を縮径変形させれば、位置決め部材３０は、結束バンドのように、フィルタケース１０の外周との間で電線４１，４２の露出領域４１Ｅ，４２Ｅを挟み付けた状態に簡単に固定することができる。
【００３９】
また、本体部３１の外周には、ノイズフィルタＡをボディ４３に取り付けるための取付部３８が設けられている。この構成によれば、ボディ４３への取り付け手段が本体部３１に設けられているので、フィルタケース１０にはボディ４３への取り付け手段を形成する必要がない。したがって、フィルタケース１０の形状が複雑になることを回避できる。
【００４０】
＜実施例２＞
次に、本発明を具体化した実施例２を図３を参照して説明する。本実施例２のノイズフィルタＢは、位置決め部材５０を上記実施例１とは異なる構成としたものである。フィルタケース１０とフェライトコア２０と電線４１，４２の構成については上記実施例１と同じであるため、同じ構成については、同一符号を付し、構造、作用及び効果の説明は省略する。
【００４１】
位置決め部材５０は、合成樹脂製の単一部品であり、細長い帯板状をなす本体部５１と、本体部５１の内面５１Ｓ（請求項に記載の内周面）に形成した複数のスペーサ５４と、本体部５１に形成した筒部３３と、本体部５１に形成した調整用挿通部３６と、取付部３８とを備えて構成されている。筒部３３と調整用挿通部３６と取付部３８は、実施例１と同じ構成であるから、同一符号を付して、説明は省略する。
【００４２】
本体部５１は、全体として細長く、且つ本体部５１の長さ方向に沿って伸縮するように弾性変形可能な形態である。即ち、本体部５１は、波形又はアーチ状に湾曲した形状をなす複数の弾性撓み部５２を、長さ方向に連ねた形態である。各弾性撓み部５２は、本体部５１の外面側（フィルタケース１０の外周面と対向する面とは反対側）へ突出した形態である。周方向に隣り合う弾性撓み部５２が連なる部分は連結部５３となっている。各連結部５３の内面５１Ｓ（フィルタケース１０の外周面と対向する面）には、夫々、径方向内側（フィルタケース１０の外周面に向かう方向）へ突出した形態のスペーサ５４が形成されている。
【００４３】
弾性撓み部５２は、その両端の連結部５３同士の間隔を広げたり狭めたりするように弾性撓み（弾性変形）し得るようになっている。つまり、弾性撓み部５２が弾性撓みすると、その弾性撓み部５２の両端のスペーサ５４同士の間隔が拡がったり狭まったりする。また、本体部５１は、全体としてフィルタケース１０の外周面に沿って湾曲するように弾性変形し得るようにもなっている。自由状態（弾性撓み部５２が弾性変形していない状態）の位置決め部材５０（本体部５１）の全長は、フィルタケース１０の外周長よりも長い寸法に設定されている。
【００４４】
次に、本実施例２の作用を説明する。ワイヤーハーネスＷにノイズフィルタＢを取り付ける際には、ケース構成体１１とコア構成体２１を合体させる前の状態で、実施例１と同じ要領で、大径電線４１と小径電線４２をケース構成体１１及びコア構成体２１に巻き付ける。大径電線４１と小径電線４２の巻き付けが終わったら、ケース構成体１１とコア構成体２１を合体させ、フィルタケース１０を形成するとともに、フィルタケース１０内に合体状態のフェライトコア２０を収容する。ケース構成体１１とコア構成体２１を合体させると、ループ状に巻き付けた１本の大径電線４１が、挿通孔２２に３回挿通されるとともに、ループ状に巻き付けた１本の小径電線４２が、挿通孔２２に４回挿通された状態となる。
【００４５】
この後、位置決め部材５０をフィルタケース１０の外周に巻き付け、調整用挿通部３６を筒部３３に貫通させて、本体部５１を縮径させる。このとき、フィルタケース１０の外周には、自由状態において位置決め部材５０（本体部５１）の長さ方向に隣り合うスペーサ５４の間隔よりも外径の大きい大径電線４１の露出領域４１Ｅが配置されているので、そのままでは、スペーサ５４が大径電線４１の露出領域４１Ｅと干渉する。そこで、本体部５１のうち大径電線４１の露出領域４１Ｅと対応する弾性撓み部５２を弾性変形させて、その弾性撓み部５２の両端のスペーサ５４同士の間隔を広げる。そして、この間隔を広げた一対のスペーサ５４の間に大径電線４１の露出領域４１Ｅを嵌め込む。
【００４６】
また、小径電線４２に関しては、弾性撓み部５２を殆ど拡開変形させず、その弾性撓み部５２の内部（つまり、弾性撓み部５２の両端の一対のスペーサ５４の間）に小径電線４２の露出領域４２Ｅを嵌め込めばよい。そして、調整用挿通部３６を引っ張って本体部５１を縮径させるとともに弾性撓み部５２を弾性変形させれば、位置決め部材５０が、弾性撓み部５２の弾性復元力と、筒部３３と調整用挿通部３６の係止作用とにより、フィルタケース１０に巻き付いた状態に保持される。
【００４７】
このようにして位置決め部材５０をフィルタケース１０に固定した状態では、いずれかのスペーサ５４がフィルタケース１０の外周面に当接し、両電線４１，４２の露出領域４１Ｅ，４２Ｅが、弾性撓み部５２に嵌り込んでフィルタケース１０の外周面に押し付けられる。つまり、スペーサ５４が電線４１，４２の露出領域４１Ｅ，４２Ｅと干渉する状態（スペーサ５４がフィルタケース１０の外周面との間に電線４１，４２を挟み込む状態）にはなっていない。そして、周方向に隣り合う大径電線４１の露出領域４１Ｅ同士の間、及び小径電線４２の露出領域４２Ｅ同士の間には、少なくとも１つのスペーサ５４が介在することなる。また、大径電線４１の露出領域４１Ｅと小径電線４２の露出領域４２Ｅとの間には、スペーサ５４又は筒部が介在する。これにより、電線４１，４２の露出領域４１Ｅ，４２Ｅ同士が周方向に接触したり、接近したりすることが防止される。
【００４８】
本実施例２のノイズフィルタＢは、本体部５１に、フィルタケース１０の周方向に沿って伸縮するように弾性変形可能な複数の弾性撓み部５２が、周方向に間隔を空けて形成されている。複数のスペーサ５４は、弾性撓み部５２の間に配されている。この構成によれば、弾性撓み部５２を周方向に伸縮変形させることにより、太さの異なる２種類の電線４１，４２に対応させることができる。
【００４９】
＜他の実施例＞
本発明は上記記述及び図面によって説明した実施例に限定されるものではなく、例えば次のような実施例も本発明の技術的範囲に含まれる。
（１）上記実施例１では、位置決め部材が、結束バンドと同様、調整用挿通部を筒部に通すことによりフィルタケースの外周に固定されるが、位置決め部材をフィルタケースの外周に固定する手段は、結束バンドタイプに限らず、粘着テープを用いてもよい。
（２）上記実施例１では、スペーサが本体部の内周面から突出しない形態へ変位可能となっているが、位置決め部材は、全てのスペーサが本体部の内周面から突出した形態を維持するものであってもよい。
（３）上記実施例１では、スペーサを本体部の内周面から突出しない形態へ変位させる手段として、スペーサをその根元で折って本体部から分離させるようにしたが、スペーサを本体部の内周面から突出しない形態へ変位させる手段は、これに限らず、スペーサをその根元を中心に曲げて寝かせる、スペーサを本体部の外周側へ打ち抜いて本体部から分離させる等の方法が可能である。
（４）上記実施例１，２では、複数のスペーサが本体部の長さ方向において一定のピッチで配置されているが、本体部の長さ方向における複数のスペーサの配置形態は、不均一なピッチであってもよい。
（５）上記実施例１では、隣り合うスペーサの間隔を小径電線の外径とほぼ同じ寸法に設定したが、隣り合うスペーサの間隔は、小径電線の外径よりも大きい寸法であってもよい。
（６）上記実施例１，２では、ノイズフィルタの軸線方向に見たときのスペーサの形状を、略台形としたが、スペーサの形状は、台形に限らず、半円形、アーチ形、長方形等であってもよい。
（７）上記実施例１，２では、本体部の内面からのスペーサの突出寸法を、小径電線の外径よりも小さい寸法に設定したが、これに限らず、本体部の内面からのスペーサの突出寸法は、小径電線の外径と同じか、それよりも大きい寸法に設定してもよい。
（８）上記実施例１では、他部材（ボディ）への取付部が、位置決め部材の本体部に一体に形成されているが、取付部は、位置決め部材とは別体の部品であってもよい。
（９）上記実施例１，２では、ワイヤーハーネスを構成する２種類の電線が、１本ずつ設けられているが、ワイヤーハーネスを構成する各種類毎の電線の本数は、適宜に設定することができる。
（１０）上記実施例１，２では、外径の異なる２種類の電線を同時に挿通孔に挿通させるようにしたが、挿通孔に挿通する電線の種類数（ワイヤーハーネスを構成する電線の種類数）は、１種類だけでもよく、３種類以上でもよい。
（１１）上記実施例１，２では、ノイズフィルタに２本の電線を巻き付けたが、ノイズフィルタに巻き付ける電線の本数は、１本だけでもよく、３本以上であってもよい。
（１２）上記実施例１，２では、フェライトコアが２つの半円弧形のコア構成体を合体させた形態であるが、本発明は、フェライトコアが非分割タイプの単一部品である場合にも適用できる。
（１３）上記実施例１，２では、挿通孔が円形をなしているが、これに限らず、挿通孔は非円形であってもよい。
（１４）上記実施例１，２では、フェライトコアが円環形であり、フェライトコアに形成されている挿通孔が１つだけであるが、本発明は、フェライトコアの外周形状が長円形又は楕円形であり、フェライトコアに複数の挿通孔が形成されている場合にも適用できる。
【符号の説明】
【００５０】
Ａ…ノイズフィルタ
１０…フィルタケース
２０…フェライトコア
２２…挿通孔
３０…位置決め部材
３１…本体部
３１Ｓ…内面（内周面）
３２…スペーサ
３３…筒部
３５…受け部（係止部）
３６…調整用挿通部
３７…係止突起（係止部）
３８…取付部
４１…大径電線（電線）
４２…小径電線（電線）
４３…ボディ（他部材）
Ｂ…ノイズフィルタ
５０…位置決め部材
５１…本体部
５１Ｓ…内面（内周面）
５２…弾性撓み部
５４…スペーサ
【図１】
2016201387.tif 000003
【図２】
2016201387.tif 000004
【図３】
2016201387.tif 000005